(57)【要約】【課題】第１の操作手段に対する操作を有効とする状態にある場合、第２の操作手段に対する意図しない操作に基づく誤動作の発生を抑制することが可能な情報処理装置及びプログラムを提供する。【解決手段】情報処理装置は、第１の操作手段に対する操作を有効とする状態にある場合、第２の操作手段に対する操作のうち特定の操作が無効となるように制御する制御手段を備える。【選択図】図２Ａ
2019028508.tif 000002
【特許請求の範囲】
【請求項１】
第１の操作手段に対する操作を有効とする状態にある場合、第２の操作手段に対する操作のうち特定の操作が無効となるように制御する制御手段、
を備える情報処理装置。
【請求項２】
前記第１及び第２の操作手段に対する操作に応じた処理を実行する実行手段をさらに備え、
前記制御手段は、前記第１の操作手段に対する操作を有効とする状態にある場合において、前記第２の操作手段に対する操作のうち特定の操作である場合、前記特定の操作に応じた処理を実行しないよう前記実行手段を制御する、
請求項１に記載の情報処理装置。
【請求項３】
前記第２の操作手段に対する前記特定の操作は、前記第１の操作手段に対する操作を含む、
請求項１又は２に記載の情報処理装置。
【請求項４】
前記第２の操作手段は、当該情報処理装置に接続可能であり、
前記制御手段は、前記第２の操作手段が当該情報処理装置に接続された後に、前記第２の操作手段に対する前記特定の操作が無効となるよう制御する、
請求項１から３のいずれか１項に記載の情報処理装置。
【請求項５】
前記制御手段は、前記受付手段が前記第１の操作手段に対して操作がなされてから予め定められた時間内に前記第２の操作手段に対してなされた次の操作を受け付けた場合、前記次の操作が無効となるように制御する、
請求項１から４のいずれか１項に記載の情報処理装置。
【請求項６】
前記制御手段は、前記受付手段が前記第１の操作手段に対して操作がなされてから予め定められた時間が経過した後に前記第２の操作手段に対してなされた次の操作を受け付けた場合、前記次の操作が有効となるように制御する、
請求項１から４のいずれか１項に記載の情報処理装置。
【請求項７】
第１の操作手段に対する操作を有効とする状態にある場合、第２の操作手段に対する操作のうち特定の操作が有効となるように制御する制御手段、を備えた情報処理装置。
【請求項８】
前記第１及び第２の操作手段に対する操作に応じた処理を実行する実行手段をさらに備え、
前記制御手段は、前記第１の操作手段に対する操作を有効とする状態にある場合、前記第２の操作手段に対する操作のうち特定の操作である場合、前記特定の操作に応じた処理を実行するよう前記実行手段を制御する、
請求項７に記載の情報処理装置。
【請求項９】
前記第２の操作手段は、文字、記号、機能のうち、少なくとも１以上が表示された操作子を有し、
前記制御手段は、前記第２の操作手段に対する２以上の前記操作子による操作が有効となるよう制御する、
請求項７又は８に記載の情報処理装置。
【請求項１０】
前記制御手段は、前記第２の操作手段に対する前記２以上の操作子の組み合わせにより１つの操作子として機能する操作が有効となるように制御する、
請求項９に記載の情報処理装置。
【請求項１１】
コンピュータを第１の操作手段に対する操作を有効とする状態にある場合、第２の操作手段に対する操作のうち特定の操作が無効となるように制御する制御手段として、機能させるためのプログラム。
【請求項１２】
コンピュータを第１の操作手段に対する操作を有効とする状態にある場合、第２の操作手段に対する操作のうち特定の操作が有効となるように制御する制御手段として、機能させるためのプログラム。
【発明の詳細な説明】
【技術分野】
【０００１】
本発明は、情報処理装置及びプログラムに関する。
【背景技術】
【０００２】
近年、複数の操作デバイスを備え、操作画面をカスタマイズした画像処理装置が提案されている（例えば、特許文献１参照。）。
【０００３】
特許文献１に記載された画像処理装置は、ユーザが制御対象装置への要求を入力するための第１の操作手段と、第１の操作手段と排他的にユーザにより操作され、ユーザが制御対象装置への要求を入力するための第２の操作手段と、第１の操作手段および第２の操作手段についてのユーザの操作を検出して、第１の操作手段および第２の操作手段のいずれを優先させるかを判定するための判定手段と、ユーザに情報を表示するための表示手段と、優先すると判定された操作手段をユーザが認知できる情報を表示するように、表示手段を制御するための制御手段とを含む操作機器を備える。
【先行技術文献】
【特許文献】
【０００４】
【特許文献１】特開２０１１−１１８５８４号公報
【発明の概要】
【発明が解決しようとする課題】
【０００５】
本発明の課題は、第１の操作手段に対する操作を有効とする状態にある場合、第２の操作手段に対する意図しない操作に基づく誤動作の発生を抑制することが可能な情報処理装置及びプログラムを提供することにある。
【課題を解決するための手段】
【０００６】
［１］第１の操作手段に対する操作を有効とする状態にある場合、第２の操作手段に対する操作のうち特定の操作が無効となるように制御する制御手段、を備える情報処理装置。
［２］前記第１及び第２の操作手段に対する操作に応じた処理を実行する実行手段をさらに備え、前記制御手段は、前記第１の操作手段に対する操作を有効とする状態にある場合において、前記第２の操作手段に対する操作のうち特定の操作である場合、前記特定の操作に応じた処理を実行しないよう前記実行手段を制御する、前記［１］に記載の情報処理装置。
［３］前記第２の操作手段に対する前記特定の操作は、前記第１の操作手段に対する操作を含む、前記［１］又は［２］に記載の情報処理装置。
［４］前記第２の操作手段は、当該情報処理装置に接続可能であり、前記制御手段は、前記第２の操作手段が当該情報処理装置に接続された後に、前記第２の操作手段に対する前記特定の操作が無効となるよう制御する、前記［１］から［３］のいずれか１つに記載の情報処理装置。
［５］前記制御手段は、前記受付手段が前記第１の操作手段に対して操作がなされてから予め定められた時間内に前記第２の操作手段に対してなされた次の操作を受け付けた場合、前記次の操作が無効となるように制御する、前記［１］から［４］のいずれか１つに記載の情報処理装置。
［６］前記制御手段は、前記受付手段が前記第１の操作手段に対して操作がなされてから予め定められた時間が経過した後に前記第２の操作手段に対して次の操作を受け付けた場合、前記次の操作が有効となるように制御する、前記［１］から［４］のいずれか１つに記載の情報処理装置。
［７］第１の操作手段に対する操作を有効とする状態にある場合、第２の操作手段に対する操作のうち特定の操作が有効となるように制御する制御手段、を備えた情報処理装置。
［８］前記第１及び第２の操作手段に対する操作に応じた処理を実行する実行手段をさらに備え、前記制御手段は、前記第１の操作手段に対する操作を有効とする状態にある場合、前記第２の操作手段に対する操作のうち特定の操作である場合、前記特定の操作に応じた処理を実行するよう前記実行手段を制御する、前記［７］に記載の情報処理装置。
［９］前記第２の操作手段は、文字、記号、機能のうち、少なくとも１以上が表示された操作子を有し、前記制御手段は、前記第２の操作手段に対する２以上の前記操作子による操作が有効となるよう制御する、前記［７］又は［８］に記載の情報処理装置。
［１０］前記制御手段は、前記第２の操作手段に対する前記２以上の操作子の組み合わせにより１つの操作子として機能する操作が有効となるように制御する、前記［９］に記載の情報処理装置。
［１１］コンピュータを第１の操作手段に対する操作を有効とする状態にある場合、第２の操作手段に対する操作のうち特定の操作が無効となるように制御する制御手段として、機能させるためのプログラム。
［１２］コンピュータを第１の操作手段に対する操作を有効とする状態にある場合、第２の操作手段に対する操作のうち特定の操作が有効となるように制御する制御手段として、機能させるためのプログラム。
【発明の効果】
【０００７】
請求項１、７、１１、１２に係る発明によれば、第１の操作手段に対する操作を有効とする状態にある場合、第２の操作手段に対する意図しない操作に基づく誤動作の発生を抑制することができる。
請求項２、８に係る発明によれば、第１の操作手段に対する操作を有効とする状態にある場合、第２の操作手段に対する意図しない操作に基づく処理の実行を抑制することができる。
請求項３に係る発明によれば、第１の操作手段が受け付けることが可能な操作に基づく誤動作の発生を抑制することができる。
請求項４に係る発明によれば、第２の操作手段が情報処理装置に接続した後に第２の操作手段に対する意図しない操作に基づく誤動作の発生を抑制することができる。
請求項５、６に係る発明によれば、ユーザの操作により第１の操作手段に対する操作を有効とする状態を維持することができる。
請求項９に係る発明によれば、第２の操作手段が有する２以上の操作子による操作を有効とすることができる。
請求項１０に係る発明によれば、複数の操作子を組み合わせた１つの操作子による操作を有効とすることができる。
【図面の簡単な説明】
【０００８】
【図１】図１は、本発明の第１の実施の形態に係る画像形成システムの構成例を模式的に示す図である。
【図２Ａ】図２Ａは、画像形成装置の制御系の一例を示すブロック図である。
【図２Ｂ】図２Ｂは、端末装置の制御系の一例を示すブロック図である。
【図３】図３は、画像形成装置の操作表示部に表示される操作画面の一例を示す図である。
【図４】図４は、端末装置の操作表示部に表示される操作画面の一例を示す図である。
【図５】図５は、本発明の第１の実施の形態に係る画像形成装置の動作の一例を示すフローチャートである。
【図６】図６は、本発明の第１の実施の形態に係る端末装置の動作の一例を示すフローチャートである。
【図７】図７は、本発明の第２の実施の形態に係る画像形成装置の構成例を模式的に示す図である。
【図８】図８は、本発明の第２の実施の形態に係る画像形成装置の制御系の一例を示すブロック図である。
【図９】図９は、本発明の第２の実施の形態における画像形成装置の動作の一例を示すフローチャートである。
【図１０】図１０は、変形例に係る画像形成装置の構成例を模式的に示す図である。
【図１１】図１１は、本発明の第３の実施の形態に係る画像形成システムの構成例を模式的に示す図である。
【図１２】図１２は、本発明の第４の実施の形態に係るノート型のパーソナルコンピュータの構成例を示す図である。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る情報処理装置は、第１の操作手段に対する操作を有効とする状態にある場合、第２の操作手段に対する操作のうち特定の操作が無効となるように制御する制御手段を備える。
【００１１】
「第１の操作手段に対する操作を有効とする状態」とは、第１の操作手段に対してなされた操作が受け付けられている状態をいう。「第２の操作手段に対する操作が無効となる」とは、第２の操作手段に対してなされた操作が受け付けられないことをいう。
【００１２】
第１の操作手段及び第２の操作手段は、例えば、主従関係を有してもよい。第１の操作手段が優先的に特定の操作を受け付ける主たる操作手段の場合、第２の操作手段が従たる操作手段となる。従たる操作手段には、例えば、端末装置の操作表示部や、外付けのハードウェアキーボード等、情報処理装置に対して追加的に設けることができる操作手段が含まれる。「優先的」とは、例えば、主たる操作手段で操作を受け付けている間は、従たる操作手段で操作を受け付けないことをいう。また、「優先的」には、実際に主たる操作手段で操作を受け付けていなくても、操作を受け付ける状態であると想定される期間を予め指定しておき、その指定された期間内に、従たる操作手段で操作を受け付けないようにすることが含まれる。
【００１３】
特定の操作には、例えば、設定値を設定する操作、複数の選択肢から特定の選択肢を選択する操作、機能の実行を指示する操作、文字の大きさやフォーカス等表示の態様を切り替える操作等が含まれる。これら操作は、例えば、操作釦や、シフトキー、タブキー等の特定のキーや、ショートカットキー等の特定のキーの組み合わせにより行ってもよい。キーは、文字、記号、機能のうち、少なくとも１以上が表示された操作子の一例である。
【００１４】
［第１の実施の形態］
図１は、本発明の第１の実施の形態に係る画像形成システムの構成例を模式的に示す図である。この画像形成システム１は、画像形成装置２と、画像形成装置２に無線通信を介して接続された端末装置３とを有して構成されている。無線通信に限定されるものではなく、有線通信でもよい。画像形成装置２は、情報処理装置の一例である。
【００１５】
画像形成装置２は、例えば、スキャン機能、プリンタ機能、コピー機能、ファクシミリ機能、電子メール機能等の複数の機能を有する複合機である。
【００１６】
図１に示すように、画像形成装置２は、上記の機能に係る処理を行う本体部２０と、穴あけや紙折り等の後処理を行うとともに用紙が排出されるフィニッシャー部２１と、本体部２０とフィニッシャー部２１とを接続する接続部２２とを有して構成されている。本体部２０には、情報の入力及び表示を行う操作表示部２３ａを備える操作部２３が設けられている。操作表示部２３ａは、第１の操作手段の一例である。
【００１７】
端末装置３は、例えば、タブレット型端末、多機能携帯電話機（スマートフォン）等を用いることができる。端末装置３は、情報の入力及び表示を行う操作表示部３２を備える。端末装置３の操作表示部３２は、第２の操作手段の一例である。
【００１８】
端末装置３の操作表示部３２は、例えば、タッチパネルディスプレイであり、液晶ディスプレイ等のディスプレイにタッチパネルを重合配置した構成を有する。
【００１９】
（画像形成装置の構成）
図２Ａは、画像形成装置２の制御系の一例を示すブロック図である。画像形成装置２は、上記操作部２３と、画像形成装置２の各部を制御する制御部２４と、各種のデータを記憶する記憶部２５と、原稿から原稿画像を読み取る画像読取部２６と、画像を印刷出力する画像出力部２７と、外部ファクシミリ装置４に対して公衆回線網５を介してファクシミリ送受信を行うファクシミリ通信部２８と、端末装置３との間で無線通信を行う無線通信部２９とを備える。
【００２０】
操作表示部２３ａは、例えば、タッチパネルディスプレイであり、液晶ディスプレイ等のディスプレイにタッチパネルを重合配置した構成を有する。なお、操作表示部２３ａは、表示部と入力部とが独立して設けられたものでもよい。
【００２１】
画像読取部２６は、スキャナを備え、原稿台に配置された原稿、又は原稿台上に設けられる自動原稿送り装置により給紙された原稿から原稿画像を光学的に読み取る。
【００２２】
画像出力部２７は、電子写真方式、インクジェット方式によりカラー画像又は白黒画像を用紙等の記録媒体に印刷出力する。
【００２３】
ファクシミリ通信部２８は、Ｇ３、Ｇ４等のファクシミリプロトコルに従ってデータの変復調を行い、電話回線を介してファクシミリ通信を行う。
【００２４】
無線通信部２９は、Ｗｉ−ＦｉやＢｌｕｅＴｏｏｔｈ（登録商標）等を用いて、端末装置３の後述する無線通信部３３（図２Ｂ参照）との間で信号を送受信する。
【００２５】
制御部２４は、ＣＰＵ（Central Processing Unit）、インターフェース等から構成されている。ＣＰＵは、記憶部２５に格納されたプログラム２５０に従って動作することにより、検知手段２４０、受付手段２４１、実行手段２４２、制御手段２４３、報知手段２４４等として機能する。各手段２４０〜２４４の詳細については後述する。
【００２６】
記憶部２５は、ＲＯＭ（Read Only Memory）、ＲＡＭ（Random Access Memory）、ハードディスク等から構成され、プログラム２５０、設定値情報２５１、特定操作情報２５２等の各種データを記憶する。設定値情報２５１は、スキャン、プリンタ、コピー、ファクシミリ、電子メール等の機能の設定項目として設定される値に関する情報である。
【００２７】
特定操作情報２５２は、画像形成装置２の操作表示部２３ａに対する操作を有効とする状態において、端末装置３の操作表示部３２に対して操作が行われた場合に無効となる操作からなる。
【００２８】
特定の操作には、例えば、以下のものが含まれる。
（ａ）設定値を設定する操作
（ｂ）複数の選択肢から特定の選択肢を選択する操作
（ｃ）機能の実行を指示する操作
これら（ａ）から（ｃ）の操作が、画像形成装置２の操作表示部２３ａ及び端末装置３の操作表示部３２の両方に対して行われた場合、誤入力や誤動作が発生する虞がある。例えば、画像形成装置２の操作表示部２３ａに対して設定値の設定として送信先情報を入力しているときに、端末装置３の操作表示部３２に対して送信先情報が入力された場合、送信先が誤入力されてしまう虞がある。また、画像形成装置２の操作表示部２３ａを操作中に、端末装置３の操作表示部３２に対して機能の実行を指示する操作が行われると、誤動作が行われる虞がある。
【００２９】
そのため、画像形成装置２の操作表示部２３ａに対する操作を有効とする状態にある場合、端末装置３の操作表示部３２に対する上記（ａ）から（ｃ）の操作を無効にして、画像形成装置２の操作表示部２３ａが端末装置３の操作表示部３２に対して優先的に操作を受け付けるようにする。
【００３０】
なお、上述の（ａ）から（ｃ）の操作は、第１の操作手段としての画像形成装置２の操作表示部２３ａに対しても行われる操作である。第１の操作手段としての画像形成装置２の操作表示部２３ａ及び第２の操作手段としての端末装置３の操作表示部３２の両方に行い得る操作には、例えば、端末装置３のキーボードを用いて操作表示部３２の件名を文字入力する操作や、送信先の候補が複数表示できる構成であれば、端末装置３のキーボードを用いて、その候補から送信先を選択する操作等が含まれる。また、端末装置３の操作表示部３２に、画像形成装置２の操作表示部２３ａに示す内容と同じ内容を示す画面を表示させて（図４参照）、表示された画面に対して操作を行う場合も、第１の操作手段に対する操作に含まれる。
【００３１】
（操作画面）
図３は、画像形成装置２の操作表示部２３ａに表示される操作画面の一例を示す図、図４は、端末装置３の操作表示部３２に表示される操作画面の一例を示す図である。ここでは、一例として、ファクシミリを例に説明する。
【００３２】
図３に示すように、画像形成装置２の操作部２３には、表示内容を表示するとともに、ユーザの操作を受け付ける操作表示部２３ａと、複数のハードウェアキーとしての操作釦２３４とが設けられている。なお、操作釦２３４は、ソフトウェアキーでもよい。
【００３３】
操作表示部２３ａには、操作画面の一例としてのＦＡＸ入力画面２３０が表示されている。ＦＡＸ入力画面２３０は、例えば、対象物の送信先情報が入力される送信先入力欄２３１と、件名情報が入力される件名入力欄２３２と、ファクシミリ機能の実行を指示する送信釦２３３とを含む。
【００３４】
図４に示すように、端末装置３の操作表示部３２には、送信先入力欄３２１と、件名情報が入力される件名入力欄３２２と、ファクシミリ機能の実行を指示する送信釦３２３とを含む操作画面としてのＦＡＸ入力画面３２０が表示されている。
【００３５】
次に、画像形成装置２の各手段２４０から２４４について説明する。検知手段２４０は、操作表示部２３ａに対して行われる、操作表示部２３ａに対する操作を有効とする状態にするための操作を検知する。操作表示部２３ａに対する操作を有効とする状態にするための操作には、例えば、ユーザが操作表示部２３ａにタッチする操作や、操作表示部２３ａをタップする操作が含まれる。
【００３６】
受付手段２４１は、検知手段２４０が操作表示部２３ａに対する操作を有効とする状態にするための操作を検知したとき、ユーザにより操作表示部２３ａに表示される操作画面に対して行われる各種の操作の受け付けを開始する。換言すれば、検知手段２４０が認識操作を検知したときに、操作表示部２３ａに対する操作を有効とする状態が開始される。
【００３７】
受付手段２４１が受け付ける各種の操作には、例えば、スキャン、プリント、コピー、ファクシミリ等の機能の実行を指示する操作や、これら機能の設定項目の値を設定する操作等が含まれる。
【００３８】
また、受付手段２４１は、端末装置３から送信される釦に応じた信号（以下、「操作信号」ともいう。）を受け付ける。端末装置３から送信される操作信号とは、端末装置３が受け付けたユーザの操作を示す信号をいう。
【００３９】
実行手段２４２は、受付手段２４１が受け付けた操作や、端末装置３から送信される操作信号に応じた処理を実行する。
【００４０】
制御手段２４３は、操作表示部２３ａに対する操作を有効とする状態にある場合、後述する端末装置３の操作表示部３２に対して特定操作情報２５２に記録された特定の操作が行われると、当該特定の操作が無効となるように制御する。具体的には、制御手段２４３は、当該特定の操作に基づく処理が実行されないように実行手段２４２を制御する。「操作表示部２３ａに対する操作を有効とする状態にある場合」とは、例えば、画像形成装置２の操作表示部２３ａが操作を受け付けている間や、画像形成装置２の操作表示部２３ａに対して一操作がなされてから予め定められた時間内が含まれる。
【００４１】
また、制御手段２４３は、画像形成装置２の操作表示部２３ａに対して一操作がなされてから予め定められた時間が経過した後に、端末装置３の操作表示部３２に対して行われる操作が有効となるように制御する。
【００４２】
制御手段２４３は、端末装置３の操作表示部３２が画像形成装置２に無線通信を介して接続された後に、端末装置３の操作表示部３２に対する特定の操作が無効となるよう制御する。
【００４３】
報知手段２４４は、制御手段２４３の制御により端末装置３の操作表示部３２に対する操作が無効とされた場合、端末装置３の操作表示部３２に対する操作が無効となったことをユーザに報知する。報知手段２４４は、例えば、端末装置３の操作表示部３２に対する操作が無効となった旨のメッセージや音声信号を端末装置３に出力してもよい。
【００４４】
（端末装置の構成）
図２Ｂは、端末装置３の制御系の一例を示すブロック図である。図２Ｂに示すように、端末装置３は、端末装置３を制御する制御部３０と、各種のデータを記憶する記憶部３１と、情報の入力及び表示を行う操作表示部３２と、画像形成装置２との間で無線通信を行う無線通信部３３とを備える。
【００４５】
無線通信部３３は、Ｗｉ−ＦｉやＢｌｕｅＴｏｏｔｈ（登録商標）等を用いて、上述の画像形成装置２の無線通信部２９との間で信号を送受信する。
【００４６】
端末装置３の制御部３０は、ＣＰＵ（Central Processing Unit）、インターフェース等から構成されている。制御部３０は、端末装置３の記憶部３１のプログラム３１０に従って動作し、検知手段３００、送信手段３０１、受付手段３０２、表示制御手段３０３等として機能する。各手段３００〜３０３の詳細については後述する。
【００４７】
端末装置３の記憶部３１は、ＲＯＭ（Read Only Memory）、ＲＡＭ（Random Access Memory）、ハードディスク等から構成され、プログラム３１０等の各種データを記憶する。
【００４８】
検知手段３００は、ユーザにより端末装置３の操作表示部３２に対して行われる各種の操作を検知する。
【００４９】
送信手段３０１は、端末装置３の検知手段３００が受け付けた操作に応じた操作信号を生成し、無線通信部３３により画像形成装置２に送信する。
【００５０】
受付手段３０２は、無線通信部３３により画像形成装置２から送信される各種の情報を受け付ける。画像形成装置２から送信される情報には、例えば、表示内容に関する情報が含まれる。
【００５１】
表示制御手段３０３は、端末装置３の受付手段３０２が受け付けた情報に応じて、端末装置３の操作表示部３２に表示内容を表示するように制御する。
【００５２】
（第１の実施の形態の動作）
（１）画像形成装置の動作
図５は、本発明の第１の実施の形態に係る画像形成装置２の動作の一例を示すフローチャートである。
【００５３】
画像形成装置２の受付手段２４１は、端末装置３から送信された操作信号を受け付ける（Ｓ１０）。
【００５４】
次に、制御手段２４３は、受付手段２４１が受け付けた操作信号が特定の操作に関する操作信号であるか否かを判定する（Ｓ１１）。
【００５５】
受付手段２４１が受け付けた操作信号が、特定操作情報２５２に記録された特定の操作に関する操作信号とき（Ｓ１１：Ｙｅｓ）、制御手段２４３は、操作信号に応じた操作が無効となるように制御する（Ｓ１２）。
【００５６】
次に、報知手段２４４は、端末装置３に対する操作が無効となった旨のエラーメッセージを示す情報を端末装置３に送信する（Ｓ１３）。
【００５７】
受付手段２４１が受け付けた操作信号が、特定操作情報２５２に記録された特定の操作に関する操作信号でないとき（Ｓ１１：Ｎｏ）、実行手段２４２は、操作信号に応じた操作を実行する（Ｓ１４）。
【００５８】
（２）端末装置の動作
図６は、本発明の第１の実施の形態に係る端末装置３の動作の一例を示すフローチャートである。端末装置３の検知手段３００は、ユーザにより行われる端末装置３の操作表示部３２に対する操作を検知する（Ｓ２０）。
【００５９】
次に、送信手段３０１は、検知手段３００が受け付けた操作に応じた操作信号を生成し、無線通信部３３により画像形成装置２に送信する（Ｓ２１）。
【００６０】
端末装置３の受付手段３０２は、報知手段２４４により送信されたエラーメッセージを示す情報を受け付ける（Ｓ２２）。
【００６１】
表示制御手段３０３は、端末装置３の受付手段３０２が受け付けた情報に基づいて、端末装置３の操作表示部３２にエラーメッセージを表示するように制御する（Ｓ２３）。
【００６２】
以上のようにすることで、画像形成装置２の操作表示部２３ａに操作中に、当該画像形成装置２を遠隔操作している端末装置３に対して行われる意図しない操作に基づく誤動作の発生を抑制することが可能となる。
【００６３】
＜変形例＞
上述の実施の形態では、制御手段２４３が操作信号に応じた操作を実行しないように実行手段２４２を制御したがこれに限られるものではない。例えば、制御手段２４３が、特定の操作に関する操作信号を受け付けないように画像形成装置２の受付手段２４１を制御してもよい。
【００６４】
また、上述の実施の形態では、制御手段２４３を画像形成装置２の制御部２４に設ける構成としたが、かかる構成に限られるものではなく、制限手段を端末装置３の制御部３０に設け、端末装置３の制御部３０が特定の操作に関する操作信号を画像形成装置２に送信しないように送信手段３０１を制御するように構成してもよい。
【００６５】
［第２の実施の形態］
図７は、本発明の第２の実施の形態に係る画像形成装置２の構成例を模式的に示す図である。図８は、本発明の第２の実施の形態に係る画像形成装置２の制御系の一例を示すブロック図である。
【００６６】
第１の実施の形態では、制御手段２４３は、端末装置３の操作表示部３２に対する特定の操作が無効となるよう制御する機能を有するものであるが、第２の実施の形態では、制御手段２４３は、端末装置３の操作表示部３２に対する特定の操作のみが有効となるよう制御する機能を有する。以下、第１の実施の形態と異なる点を中心に説明する。
【００６７】
図７及び図８に示すように、画像形成装置２は、第１の実施の形態で説明した構成に加えて、画像形成装置２に情報の入力を行う入力部６０をさらに備える。入力部６０は、第２の操作手段の一例である。なお、第１の実施の形態の端末装置３を、第２の実施の形態における第２の操作手段としてもよい。
【００６８】
入力部６０は、例えば、画像形成装置２にＵＳＢ（Universal Serial Bus）ケーブル等で接続された外付けの物理的なキーボード（ハードウェアキーボード）である。なお、入力部６０は、ハードウェアキーボードに限定されるものではなく、操作表示部２３ａの表示画面に表示されたキーボード（ソフトウェアキーボード）でもよく、仮想空間に投影されたキーボードでもよい。
【００６９】
特定操作情報２５２は、「特定の操作」欄が設けられている。「特定の操作」の欄には、第２の操作手段としての端末装置３の操作表示部３２に対して行われた場合に有効となる操作からなる。
【００７０】
特定の操作には、例えば、以下のものが含まれる。
（ａ）シフトキーによる操作
（ｂ）タブキーによる操作
（ｃ）ショートカットキーによる操作
（ｄ）特定の複数のキーによる操作
【００７１】
シフトキーによる操作には、例えば、画像形成装置２の操作表示部２３ａに表示される文字について小文字と大文字とを切り替える操作が対応付けられている。タブキーによる操作には、例えば、入力対象としての注目する入力欄を切り替える操作が対応付けられている。
【００７２】
ショートカットキーによる操作とは、例えば、コントロールキーとともにコントロールキーとは別のキーを操作することである。ショートカットキーによる操作による操作には、特定の操作が対応付けられている。ショートカットキーによる操作は、２以上の操作子の組み合わせにより１つの操作子として機能する操作の一例である。ショートカットキーは、２以上の操作子の組み合わせにより機能する１つの操作子の一例である。
【００７３】
複数のキーによる操作には、特定の操作が対応付けられている。複数のキーによる操作は、２以上の操作子による操作の一例である。複数のキーは、例えば、隣り合う複数のキーでもよく、互いに離れた位置にある複数のキーでもよい。
【００７４】
なお、上述の（ａ）から（ｄ）の操作は、第１の操作手段としての画像形成装置２の操作表示部２３ａに対しても行われる操作である。
【００７５】
検知手段２４０は、入力部６０に対して操作がなされたこと、すなわち、キーが操作されたこと（以下、「キー操作」ともいう。）を検知する。
【００７６】
制御手段２４３は、画像形成装置２の操作表示部２３ａに対する操作を有効とする状態にある場合、入力部６０に対して特定操作情報２５２に記録された特定の操作が行われると、当該特定の操作が有効となるように制御する。
【００７７】
また、制御手段２４３は、画像形成装置２の操作表示部２３ａに対する操作を有効とする状態にある場合、入力部６０に対して特定操作情報２５２に記録された特定の操作以外の操作が行われると、当該特定の操作以外の操作が無効となるように制御する。
【００７８】
制御手段２４３は、画像形成装置２の操作表示部２３ａに対する操作を有効とする状態にある場合、操作表示部２３ａにソフトウェアキーボードを表示するよう制御する。
【００７９】
報知手段２４４は、制御手段２４３の制御によりキー操作が無効とされた場合、画像形成装置２の操作表示部２３ａにキー操作が無効となった旨のエラーメッセージを表示する。
【００８０】
（第２の実施の形態の動作）
図９は、本発明の第２の実施の形態における画像形成装置２の動作の一例を示すフローチャートである。
【００８１】
検知手段２４０は、ユーザによる入力部６０に対する操作、すなわちキー操作を検知する（Ｓ３０）。
【００８２】
制御手段２４３は、検知手段２４０が検知した操作が、特定操作情報２５２に記録された特定の操作か否かを判定する（Ｓ３１）。
【００８３】
検知手段２４０が検知した操作が、特定操作情報２５２に記録された特定の操作の場合（Ｓ３１：Ｙｅｓ）、制御手段２４３は、画像形成装置２の操作表示部２３ａに対する操作を有効とする状態にあるか否かを判定する。具体的には、検知手段２４０は、操作表示部２３ａにソフトウェアキーボードが表示されているか否かにより、画像形成装置２の操作表示部２３ａに対する操作を有効とする状態にあるか否かを判定する（Ｓ３２）。
【００８４】
画像形成装置２の操作表示部２３ａに対する操作を有効とする状態にある場合、すなわち操作表示部２３ａにソフトウェアキーボードが表示されている場合（Ｓ３２：Ｙｅｓ）、受付手段２４１は、検知手段２４０が検知したキーの操作が操作表示部２３ａにソフトウェアキーボードが表示されてから予め定められた時間内に行われた操作であるか否かを判定する（Ｓ３３）。
【００８５】
検知手段２４０が検知したキーの操作が操作表示部２３ａにソフトウェアキーボードが表示されてから予め定められた時間内に行われた操作である場合（Ｓ３３：Ｙｅｓ）、実行手段２４２は、当該特定の操作に応じた処理を実行する（Ｓ３４）。
【００８６】
検知手段２４０が検知した操作が、特定操作情報２５２に記録された特定の操作でない場合（Ｓ３１：Ｎｏ）、制御手段２４３は、当該操作が無効となるように制御する（Ｓ３５）。
【００８７】
制御手段２４３は、画像形成装置２の操作表示部２３ａにキー操作が無効となった旨のエラーメッセージを表示する（Ｓ３６）。
【００８８】
画像形成装置２の操作表示部２３ａに対する操作を有効とする状態にない場合、すなわち操作表示部２３ａにソフトウェアキーボードが表示されていない場合（Ｓ３２：Ｎｏ）、及び検知手段２４０が検知したキーの操作が操作表示部２３ａにソフトウェアキーボードが表示されてから予め定められた時間内に行われた操作でない場合（Ｓ３３：Ｎｏ）、上述のステップＳ３５及びＳ３６と同様に操作する。
【００８９】
すなわち、制御手段２４３は、当該操作が無効となるように制御し（Ｓ３５）、
画像形成装置２の操作表示部２３ａにキー操作が無効となった旨のエラーメッセージを表示する（Ｓ３６）。
【００９０】
以上のようにして、画像形成装置２に外付けされたキーボード等の入力部６０からの意図しない操作に基づく誤動作の発生を抑制することができる。また、特定の操作以外の操作が無効になるように制御することにより、例えば、入力部６０の場所が、人の腕や手が触れやすい場所にあったり、紙などの物が置かれそうな場所にあったりする場合でも、意図しない操作に基づく誤操作や誤動作の発生を抑制することができる。
【００９１】
＜変形例１＞
ステップＳ３３において、受付手段２４１は、検知手段２４０が検知したキーの操作が操作表示部２３ａにソフトウェアキーボードが表示されてから予め定められた時間内に行われた操作であるか否かを判定したが、予め定められた時間を計測する起算点は必ずしも操作表示部２３ａにソフトウェアキーボードが表示されたことに限定されるものではない。例えば、予め定められた時間の計測の起算点を操作表示部２３ａに対する直近の操作が完了した時点としてもよい。また、予め定められた時間は、画像形成装置２に設けられているタイムアウト時間としてもよい。
【００９２】
＜変形例２＞
図１０は、変形例に係る画像形成装置２の構成例を模式的に示す図である。入力部６０は、上述の第２の実施の形態のように必ずしも画像形成装置２の操作表示部２３ａの近傍に設けなくともよい。例えば、図１０（ａ）に示すように、入力部６０は、用紙が排出されるフィニッシャー部２１の上部に設けてもよい。
【００９３】
また、例えば、図１０（ｂ）に示すように、入力部６０は、画像を印刷出力する画像出力部２７と、用紙が排出されるフィニッシャー部２１との間に設けられた、接続部２２の上部にも設けてもよい。
【００９４】
また、例えば、図１０（ｃ）に示すように、入力部６０は、画像形成装置２の近傍又は離れた位置に設けられた作業台７上に設けてもよい。
【００９５】
図１０（ａ）から（ｃ）に示すように、入力部６０が画像形成装置２の操作表示部２３ａから離れた位置に設けられ、例えば、他の操作者が知らずに接触してしまう等の誤操作の虞のある場合であっても誤作動を抑制することができる。
【００９６】
［第３の実施の形態］
図１１は、本発明の第３の実施の形態に係る画像形成システム１の構成例を模式的に示す図である。第１の実施の形態では、画像形成システム１は、単数の端末装置３を有して構成されているが、第３の実施の形態では、画像形成システム１は、複数の端末装置３を有して構成されている。以下、第１の実施の形態と異なる点を中心に説明する。
【００９７】
図１１に示すように、画像形成システム１は、画像形成装置２と、画像形成装置２に無線通信を介して接続された複数の端末装置３を有して構成されてもよい。
【００９８】
この場合、画像形成装置２の操作表示部２３ａを第１の操作手段とし、複数の端末装置３の操作表示部３２を第２の操作手段としてもよい。また、複数の端末装置３のうち一方の１つの端末装置３の操作表示部３２を第１の操作手段とし、他方の残りの端末装置３の操作表示部３２を第２の操作手段としてもよい。
【００９９】
これにより、他方の端末装置３に対して行われる意図しない誤操作を抑制することができる。
【０１００】
［第４の実施の形態］
図１２は、本発明の第４の実施の形態に係るノート型のパーソナルコンピュータの構成例を示す図である。第１の実施の形態では、情報処理装置として画像形成装置を例に説明したが、第４の実施の形態では、情報処理装置としてノート型のパーソナルコンピュータ８を例に説明する。なお、ノート型のパーソナルコンピュータ８は、情報処理装置の一例であるが、情報処理装置は、ノート型のパーソナルコンピュータに限られない。以下、第１の実施の形態と異なる点を中心に説明する。
【０１０１】
図１２に示すように、ノート型のパーソナルコンピュータ８は、操作部８１と、表示部８２とを備えて構成されている。操作部８１には、ハードウェアキーボード８１０が設けられている。表示部８２には、操作表示部８２０が設けられている。操作表示部８２０には、ソフトウェアキーボードが表示されている。
【０１０２】
この場合、切替操作により、操作表示部８２０を第１の操作手段とし、ハードウェアキーボード８１０を第２の操作手段としてもよく、この逆でもよい。
【０１０３】
操作表示部８２０を第１の操作手段とし、ハードウェアキーボード８１０を第２の操作手段とした場合、ハードウェアキーボード８１０に対して行われる意図しない誤操作を抑制することができる。また、ハードウェアキーボード８１０を第１の操作手段とし、操作表示部８２０を第２の操作手段とした場合、操作表示部８２０に表示されたソフトウェアキーボードに対して行われる意図しない誤操作を抑制することができる。
【０１０４】
以上、本発明の実施の形態を説明したが、本発明の実施の形態は上記実施の形態に限定されるものではなく、本発明の要旨を変更しない範囲内で種々の変形、実施が可能である。例えば、画像形成装置２の入力部６０は、第２の実施の形態における第２の操作手段としたが、第１の実施の形態において画像形成装置２に入力部６０を設け、該入力部６０を第１の実施の形態における第２の操作手段としてもよい。
【０１０５】
制御部２４、３０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【０１０６】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができ、クラウドサーバ等の外部サーバに格納しておき、ネットワークを介して利用することもできる。
【符号の説明】
【０１０７】
１…画像処理システム、２…画像形成装置、３…端末装置、４…外部ファクシミリ装置、５…公衆回線網、７…作業台、８…パーソナルコンピュータ、２０…本体部、２１…フィニッシャー部、２２…接続部、２３…操作部、２３ａ…操作表示部、２４…制御部、２５…記憶部、２６…画像読取部、２７…画像出力部、２８…ファクシミリ通信部、２９…無線通信部、３０…制御部、３１…記憶部、３２…操作表示部、３３…無線通信部、６０…入力部、８１…操作部、８２…表示部、２３０…ＦＡＸ入力画面、２３１…送信先入力欄、２３２…件名入力欄、２３３…送信釦、２３４…操作釦、２４０…検知手段、２４１…受付手段、２４２…実行手段、２４３…制御手段、２４４…報知手段、２５０…プログラム、２５１…設定値情報、２５２…特定操作情報、３００…検知手段、３０１…送信手段、３０２…受付手段、３０３…表示制御手段、３１０…プログラム、３２０…ＦＡＸ入力画面、３２１…送信先入力欄、３２２…件名入力欄、３２３…送信釦、８１０…ハードウェアキーボード、８２０…操作表示部
【図１】
2019028508.tif 000003
【図２Ａ】
2019028508.tif 000004
【図２Ｂ】
2019028508.tif 000005
【図３】
2019028508.tif 000006
【図４】
2019028508.tif 000007
【図５】
2019028508.tif 000008
【図６】
2019028508.tif 000009
【図７】
2019028508.tif 000010
【図８】
2019028508.tif 000011
【図９】
2019028508.tif 000012
【図１０】
2019028508.tif 000013
【図１１】
2019028508.tif 000014
【図１２】
2019028508.tif 000015